(57)【要約】      （修正有）【課題】発熱体ユニットを使用した電気加熱装置において、発熱体ユニットの一部に非加熱エリヤを形成すること。特定範囲を非加熱とすることが求められるところの、多様な暖房態様や、多様な調理態様に対応することができる。【解決手段】電気加熱装置（例えば、電気ストーブ、電気加熱調理器）における熱源として、グラファイトフイルムシート１を発熱体素材とする発熱体ユニット１を使用し、前記グラファイトフイルムシートの一部を、切込み処理範囲より除外して、発熱体素材の一部に非発熱部Ｒを形成する。【選択図】図４
2014102959.tif 000002
【特許請求の範囲】
【請求項１】
熱透過性のガラス管内に、グラファイトフイルムシートを装填してなる発熱体ユニットで棒状の電気加熱体を構成し、
該発熱体ユニットのグラファイトフイルムシートの一部を除外して切込み処理することで発熱部を設定し、加熱素材の一部に非発熱部を設定したことを特徴とする電気加熱装置。
【請求項２】
電気加熱装置として電気オーブントースタを適用し、
前記発熱体ユニットのグラファイトフイルムシートの中央部を除外して切込み処理して、中央部を除外した発熱部を設定し、中央部に非発熱部を設定したことを特徴とする、請求項1に記載する電気加熱装置。
【発明の詳細な説明】
【技術分野】
【０００１】
本願発明は、電気加熱装置（例えば、電気ストーブ、電気加熱調理器）に関するものである。
【背景技術】
【０００２】
電気加熱装置（例えば、電気ストーブ、電気加熱調理器）において、熱源として、グラファイトフイルムシートを発熱体素材とする発熱体ユニットを有するものが存在する。
【先行技術文献】
【特許文献】
【０００３】
【特許文献１】特開2011-40169号公開特許公報
【発明の概要】
【発明が解決しようとする課題】
【０００４】
特開2011-40169号公開特許公報「発熱体ユニット及び加熱装置」（特許文献1）には、電気加熱装置（例えば、電気ストーブ、電気加熱調理器）において、熱源として用いられている、帯板状の発熱体を装填した発熱体ユニットが示されている。
該発熱体ユニットは、熱透過性のガラス管内に、グラファイトフイルムシートを発熱体素材2Ａとして装填している。該発熱体素材2Ａは、図６（ａ）(上記公報の図３Ａ)に示される切込み処理したのち、加圧処理および拡張処理することで、発熱体２を構成している。発熱体２は切込み処理されたグラファイトフイルムシートの範囲を発熱範囲としている。
切込み処理においては、図６（ａ）(上記公報の図３Ａ)を参照して、縁切り込みＣ1、中間切り込みＣ2が形成されている。図６（ａ）において、Ｗ1は発熱体素材2Ａの幅、Ｗ2は中間切り込みＣ2の長さ、Ｗ3は幅狭部2ａの幅である。
図６（ｂ）(上記公報の図３Ｂ)は、拡張処理後の形状を示す。
図６（ｃ）(上記公報の図３Ｃ)は、拡張処理後の断面図である。
【０００５】
本願発明は、上記の発熱体ユニットを使用した電気加熱装置において、発熱体ユニットの一部に非加熱エリヤを形成することを課題とする。
【課題を解決するための手段】
【０００６】
本願発明は、
電気加熱装置（例えば、電気ストーブ、電気加熱調理器）における熱源として、
グラファイトフイルムシートを発熱体素材とする発熱体ユニットを使用し、
前記グラファイトフイルムシートの一部を、切込み処理範囲より除外して、発熱体素材の一部に非発熱部を形成する。
【発明の効果】
【０００７】
本願発明は、全長を熱源とする電気加熱装置において、熱源の所望範囲を加熱範囲により除外することができる。
よって、一般的には、全範囲に均一な加熱か所望されるものであるが、特定範囲を非加熱とすることが求められるところの、多様な暖房態様や、多様な調理態様に対応することができる。
【０００８】
例えば、電気加熱調理器（電気オーブントースタ）において、左右方向に全長わたって加熱体が存在していると、調理室の中央に熱が集中するために、
図７に示すごとく、網板の中央に一枚のパンWを置いた場合には、食パンWの中央が焦げることとなり、ニ枚のパンWを置いた場合には、二枚の食パンWの中央寄りが焦げることとなり、パンＷに「焦げＫ」が発生する。
発熱体素材の中央部に非発熱部を設けることで、前記の「焦げＫ」の発生を防ぐことができる。
【図面の簡単な説明】
【０００９】
【図１】本願発明の実施例を示す、電気オーブントースタの正面視縦断面図。
【図２】同じく側面視縦断面図。
【図３】同じく横断面図。
【図４】本願発明の要部である発熱体ユニット
【図５】調理状態の説明図で、ａ図は縦断面図、ｂ図は横断面図。
【図６】グラファイトフイルムシートの切込み処理を示し、ａ図は発熱体素材の部分拡大平面図、ｂ図は拡張処理後の部分拡大平面図、ｃ図はｂ図のＳ-Ｓ線による断面図。
【図７】公知の電気オーブントースタにおける「こげ」の発生を示す説明図。
【発明を実施するための最良の形態】
【００１０】
本願発明は、電気加熱装置（電気オーブントースタ）において、熱源として、熱透過性のガラス管内に、グラファイトフイルムシートを発熱体素材として装填してなる、発熱体ユニットを適用する。
グラファイトフイルムシートを発熱体素材とする発熱体ユニットにおいて、グラファイトフイルムシートの中央部を、切込み処理範囲より除外して、発熱体素材の中央部に非発熱部を形成する。
【実施例】
【００１１】
以下図1ないし図4を参照して、本願発明を、電気加熱装置として電気オーブントースタに適用した実施例にもとづいて、本願発明を詳細に説明する。
【００１２】
調理室の中央に焼網10を配置し、該焼網10の上方および下方に設定距離を隔てて棒状の電気加熱体を配置すること、および棒状の電気加熱体の両端を、ソケット11を介して機体側壁12に固定することは、公知の電気オーブントースタと同様である。
【００１３】
本願発明は、上記の棒状の電気加熱体として、図4に示す、グラファイトフイルムシートとする発熱体ユニット1を適用する。
【００１４】
グラファイトフイルムシートを発熱体素材とする発熱体ユニットにおいては、図６に示す切込み処理により、発熱部Ｐを形成することができる。
【００１５】
実施例においては、グラファイトフイルムシートの中央部を、切込み処理範囲より除外する。その結果として、発熱体素材の中央部に非発熱部Ｒを形成する。
【００１６】
発熱部Pは、中央部を除外して形成する。
【００１７】
図５は、本願発明による調理状態を示し、中央部に非発熱部Ｒが形成されていることで、２枚のパンＷの中央寄り部分に、図7（ａ）のパン二枚焼き場合の、「焦げＫ」は発生していない。
また、パン一枚を加熱調理する場合におっても、中央部への熱の集中を回避できるとによって、図7（ｂ）の一枚焼き場合のパン中央部「焦げＫ」は発生していない。
【００１８】
なお、非発熱部Ｒの位置、長さ、個数は、調理の目的、内容に対応すべく適宜選定されるものである。
【００１９】
また、本発明を暖房機器に適用した場合には、暖房範囲を適宜設定できるものである。
【００２０】
実施例のオーブントースタにおいては、上下2本の発熱体を、非発熱部Rを有するグラファイトフイルムシートとしたが、いずれか一方を非発熱部Rの存在しない、すなわち、発熱部Pのみが存在するグラファイトフイルムシートを適用してもよいものである。
【００２１】
また、いずれか一方の発熱体として、従来、オーブントースタの発熱体として広く使用されている石英管ヒーターを適用してもよいものである。
【００２２】
なお、グラファイトフイルムシートは、石英管ヒーターに比して発熱量が大であることで、図７の「焦げK」の発生が顕著であることで、非発熱部Rを有するグラファイトフイルムシートを上下に使用している実施例の態様においては、本願発明の効果は顕著である。
【産業上の利用可能性】
【００２３】
本願発明は、電気加熱装置の利用を高めることで、電気加熱製品製造産業の発展に寄与するものである。
【符号の説明】
【００２４】
１   発熱体ユニット（グラファイトフイルムシート）
２    焼網
P   発熱部
R   非発熱部
【図１】
2014102959.tif 000003
【図２】
2014102959.tif 000004
【図３】
2014102959.tif 000005
【図４】
2014102959.tif 000006
【図５】
2014102959.tif 000007
【図６】
2014102959.tif 000008
【図７】
2014102959.tif 000009
【手続補正書】
【提出日】平成24年12月27日(2012.12.27)
【手続補正１】
【補正対象書類名】明細書
【補正対象項目名】０００７
【補正方法】変更
【補正の内容】
【０００７】
本願発明は、全長を熱源とする電気加熱装置において、熱源の所望範囲を加熱範囲より除外することができる。
よって、一般的には、全範囲に均一な加熱か所望されるものであるが、特定範囲を非加熱とすることが求められるところの、多様な暖房態様や、多様な調理態様に対応することができる。
【手続補正２】
【補正対象書類名】明細書
【補正対象項目名】００１２
【補正方法】変更
【補正の内容】
【００１２】
調理室の中央に焼網2を配置し、該焼網2の上方および下方に設定距離を隔てて棒状の電気加熱体を配置すること、および棒状の電気加熱体の両端を、ソケット3を介して機体側壁4に固定することは、公知の電気オーブントースタと同様である。
【手続補正３】
【補正対象書類名】明細書
【補正対象項目名】００１３
【補正方法】変更
【補正の内容】
【００１３】
本願発明は、上記の棒状の電気加熱体として、図4に示す、グラファイトフイルムシートを発熱体素材とする発熱体ユニット1を適用する。
【手続補正４】
【補正対象書類名】明細書
【補正対象項目名】００１７
【補正方法】変更
【補正の内容】
【００１７】
図５は、本願発明による調理状態を示し、中央部に非発熱部Ｒが形成されていることで、２枚のパンＷの中央寄り部分に、図7（ｂ）のパン二枚焼き場合の、「焦げＫ」は発生していない。
また、パン一枚を加熱調理する場合においても、中央部への熱の集中を回避できることによって、図7（ａ）の一枚焼き場合のパン中央部「焦げＫ」は発生していない。
【手続補正５】
【補正対象書類名】図面
【補正対象項目名】図５
【補正方法】変更
【補正の内容】
【図５】
2014102959.tif 000010
【手続補正６】
【補正対象書類名】図面
【補正対象項目名】図６
【補正方法】変更
【補正の内容】
【図６】
2014102959.tif 000011